(57)【特許請求の範囲】
【請求項１】
矩形導光プレートと、
前記矩形導光プレートの端縁表面内にバックライトを入射させる光源と、
前記矩形導光プレートを囲繞する矩形環状プラスチックシャーシと、
を備える、電子装置ディスプレイ用のバックライト構造において、
前記矩形環状プラスチックシャーシが、少なくとも第１のプラスチック構造及び前記第１のプラスチック構造とは異なるプラスチック材料から形成される第２のプラスチック構造を含み、
前記第２のプラスチック構造は、前記導光プレートの前記端縁表面に平行に前記矩形環状プラスチックシャーシの外部表面を形成し、
前記第１のプラスチック構造は、前記導光プレートの前記端縁表面と、前記矩形環状プラスチックシャーシの前記外部表面を形成する前記第２のプラスチック構造との間に配置され、
前記第１のプラスチック構造は、前記矩形導光プレート周囲で不連続に延び、
前記シャーシの、前記光源と反対側にある部分は、前記第２のプラスチック構造の材料のみで形成され、
前記第１のプラスチック構造が、光反射プラスチックを含み、前記第２のプラスチック構造が、光遮断プラスチックを含む、
電子装置ディスプレイ用バックライト構造。
【請求項２】
前記第１のプラスチック構造が、前記矩形環状プラスチックシャーシのうちの少なくとも１つの内側端縁に沿って内面を形成するように構成されている、請求項１に記載のバックライト構造。
【請求項３】
前記第１のプラスチック構造が、白色プラスチックを含む、請求項２に記載のバックライト構造。
【請求項４】
前記第１のプラスチック構造が、前記矩形環状プラスチックシャーシのうちの少なくとも２つの側壁に沿って光反射面を形成するように構成されている、請求項２に記載のバックライト構造。
【請求項５】
前記第２のプラスチック構造が、黒色プラスチックを含む、請求項４に記載のバックライト構造。
【請求項６】
前記第１のプラスチック構造が、白色プラスチックを含む、請求項５に記載のバックライト構造。
【請求項７】
前記シャーシが、第１、第２、第３及び第４の端縁を有し、前記第１及び第３の端縁が互いに平行であり、前記矩形導光プレートの前記端縁表面と平行であり、前記第２及び第４の端縁が互いに平行であり、前記シャーシの前記第１及び第３の端縁が専ら前記第２のプラスチック構造からの材料で形成される、請求項４に記載のバックライト構造。
【請求項８】
前記シャーシが、第１、第２、第３及び第４の端縁を有し、前記第１及び第３の端縁が互いに平行であり、前記矩形導光プレートの前記端縁表面と平行であり、前記第２及び第４の端縁が互いに平行であり、前記シャーシの前記第１の端縁が前記光源と反対側にあり、専ら前記第２のプラスチック構造からの材料で形成される、請求項４に記載のバックライト構造。
【請求項９】
前記光反射プラスチックは前記光遮断プラスチックよりも反射性が高く、前記第２のプラスチック構造の少なくとも一部が、前記矩形環状シャーシの側壁部分を形成し、前記第１のプラスチック構造の少なくとも一部が、前記側壁部分の内面に沿って位置する、請求項１に記載のバックライト構造。
【請求項１０】
光源から光を受ける端縁表面を有する導光プレートと、
前記導光プレートを囲繞するシャーシと、を備える、バックライト構造において、
前記シャーシが、第１の射出成形プラスチック構造及び第２の射出成形プラスチック構造を含み、
前記第１の射出成形プラスチック構造が、前記シャーシの内部表面を形成し、
前記第２の射出成形プラスチック構造が、前記シャーシの外部表面を形成し、
前記シャーシの前記内部表面及び前記外部表面が、前記導光プレートの前記端縁表面と並行であり、
前記内部表面は、前記導光プレートの前記端縁表面と前記シャーシの前記外部表面との間に配置され、
前記第２の射出成形プラスチック構造は、前記導光プレートを完全に囲繞し、
前記第１の射出成形プラスチック構造は、前記導光プレートの一部のみを囲繞し、
前記第１の射出成形プラスチック構造によって囲繞されない前記導光プレートの一部は、前記光源から光を受け取る前記導光プレートの前記端縁表面と反対側にあり、
前記第１の射出成形プラスチック構造が、光反射プラスチックを含み、前記第２の射出成形プラスチック構造が、光遮断プラスチックを含む、
バックライト構造。
【請求項１１】
前記第２の射出成形プラスチック構造が、前記第１の射出成形プラスチック構造よりも不透明であり、前記第１の射出成形プラスチック構造が、前記導光プレートの少なくとも１つの周辺端縁上に射出成形される、請求項１０に記載のバックライト構造。
【請求項１２】
前記第１及び第２の射出成形プラスチック構造が、少なくとも１つの端縁に沿って相互に成形される、請求項１１に記載のバックライト構造。
【請求項１３】
前記シャーシが４つの端縁を有し、前記第１の射出成形プラスチック構造が、白色プラスチックを含み、前記第２の射出成形プラスチック構造が、黒色プラスチックを含む、請求項１０に記載のバックライト構造。
【発明の詳細な説明】
【技術分野】
【０００１】
（関連出願の相互参照）
本出願は、２０１１年９月９日に出願された米国特許出願第１３／２２９，４１８号に対する優先権を主張するものであり、この米国特許出願はその全体が本明細書において参照によって組み入れられる。
【０００２】
（発明の分野）
本発明は、一般的に電子装置に関し、より具体的には本発明は電子装置用ディスプレイに関する。
【背景技術】
【０００３】
携帯電話、コンピュータ及びメディアプレーヤのような電子装置は、多くの場合、ディスプレイを備える。電子装置には、例えばバックライト付き液晶ディスプレイのようなバックライト付きディスプレイが多くの場合、含まれる。
【０００４】
バックライト付きディスプレイは概して、導光プレートと呼ばれる配光層を備える。導光プレートは典型的に、プラスチックのシートから射出成形、押し出し又はダイカットされている透明プラスチックの矩形シートから形成される。発光ダイオードのアレイからの光が、導光プレートの端縁内に入射する場合がある。導光プレートは、全内反射によって、ディスプレイパネルの背面全体に配光する。導光プレートの平面の上側面から出射する光は、ディスプレイパネルのバックライトとしての役目を果たす。
【０００５】
導光プレートは典型的に、ｐシャーシ又は型枠と呼ばれることがある白色プラスチックシャーシ構造の内部に搭載される。ｐシャーシの白色プラスチックは、導光プレートの周縁を取り囲む反射性側壁を形成する。導光プレートの端縁から出射する光は、ｐシャーシの反射性側壁によって反射されて導光プレートの内に戻る。それ故、反射光は、ディスプレイ用の追加のバックライトとしての役目を果たし得る。
【０００６】
反射性白色プラスチックを使用してｐシャーシを形成することによって、バックライト効率が改善される可能性がある。しかしながら、ｐシャーシの側壁を形成する白色プラスチックは概して、側壁に当たる光をすべては遮断できない。結果として、導光プレートからの光の一部が、電子装置の望まれない領域内に漏入する可能性がある。注意しないと、例えば漏れた光が、電子装置の利用者が見える場所を不要に照射しかねない。
【発明の概要】
【発明が解決しようとする課題】
【０００７】
それ故、ディスプレイバックライトにおける導光プレート用の改良型シャーシ構造などの改良型ディスプレイバックライト構造を提供できるのが望ましい。
【課題を解決するための手段】
【０００８】
電子装置には、ディスプレイが設けられていてもよい。バックライト構造を使用してディスプレイ用バックライトを提供できる。バックライト構造は、導光プレートを含むでもよい。薄膜トランジスタ層、カラーフィルタ層、偏光子、及び他のディスプレイ層などの、ディスプレイ内の構造に対してバックライトを配光させる際に、バックライト構造を使用してもよい。
【０００９】
ディスプレイ内の構造、及び導光プレートなどのバックライト構造は、任意の好適な形状を有してもよい。例えば、ディスプレイ、及び導光プレートなどのディスプレイ内のバックライト構造は、円形でもよく、楕円形でもよく、四角形でもよく、曲線の端縁を備える輪郭を有してもよく、直線の端縁の輪郭を有してもよく、直線と曲線の端縁を組み合わせた形状を有してもよく、又は他の任意の好適な形状を有してもよい。
【００１０】
バックライト構造は、導光プレートを収容する開口部を有するシャーシを含み得る。シャーシの１つ以上の端縁は、それぞれの発光ダイオード又は他の光源を収容する切欠きのアレイが設けられてもよい。光源は、光を導光プレートの端縁部分の内に入射し得る。
【００１１】
シャーシは、プラスチック又は金属などの材料から形成された光反射構造を含み得る。シャーシ用のプラスチック材料は、ポリカーボネートなどの比較的硬質のポリマーでもよく、又は合成ゴム、天然ゴム、シリコーン若しくは他のエラストマー材料などの比較的軟質のポリマーであってもよい。また、誘電材料の薄膜スタックを使用して、光反射構造を形成することができる。光反射構造は、導光プレートの２つ以上の周辺端縁を囲繞してもよく、逃散した光が導光プレートの端縁内に反射し返す助けになってもよい。シャーシはまた、シャーシからの光の漏出の阻止する助けになる黒色プラスチックなどの材料から形成された光遮断構造を含んでもよい。光反射構造及び光遮断構造は、プラスチック射出成形機などの装置を使用して形成され得る。
【００１２】
本発明の更なる特徴、その本質及びさまざまな利点は、添付の図面及び下掲の好ましい実施形態の詳細な説明からより明らかになろう。
【図面の簡単な説明】
【００１３】
【図１】本発明の実施形態に係るディスプレイバックライト構造の例示的な電子装置の斜視図である。
【図２】本発明の実施形態に係るバックライトシャーシ構造の一部の上面図である。
【図３】本発明の実施形態に係る例示的なディスプレイの断面側面図であり、図２に示す型式のシャーシ構造が、どのように光を反射することができるか、並びにどのように漏出した光を遮断することができるかを示す図である。
【図４】本発明の実施形態に係る図３のシャーシ構造の断面側面図であり、導光プレートの端縁の側壁構造が、光を反射する内側材料及び光を遮断する外側材料が設けられている仕組みを示した図である。
【図５】本発明の実施形態に係るディスプレイバックライト用シャーシ構造の形成において、どのように射出成形技術が利用され得るかを示した略図である。
【図６】本発明の実施形態に係るバックライト内の導光プレートなどのディスプレイコンポーネント上に、異なる光学特性を備えるプラスチックなどの材料の層が成形され得る仕組みを示した略図である。
【図７】本発明の実施形態係るディスプレイバックライト構造用のシャーシの角部の上面図である。
【図８】本発明の実施形態に係る、図７のシャーシの側壁部分の断面端面図である。
【図９】白色プラスチックシャーシを備える従来型バックライト構造の断面図である。
【図１０】孔を有する金属枠、及び孔を充填する成形プラスチックを備える従来型バックライトシャーシの上面図である。
【図１１】図１０の従来型シャーシの側壁の断面図である。
【図１２】本発明の実施形態に係るバックライトシャーシにおける側壁の断面図である。
【図１３】本発明の実施形態に係る、図１２に示す型式の側壁の断面図であり、光遮断層の厚さが増加していて、対応する量だけ光反射層の厚さが減少している図である。
【図１４】本発明の実施形態に係る、図１２に示す型式の側壁の断面図であり、光遮断層の厚さが減少していて、それに対応する量だけ光反射層の厚さが増加している図である。
【図１５】本発明の実施形態に係る、光反射層が電子装置の筐体構造と導光プレートとの間に形成され得る仕組みを示したバックライト構造の一部の断面図である。
【図１６】本発明の実施形態に係る、光遮断層及び光反射層などの複数の材料の層が電子装置の筐体構造上に形成され得る仕組みを示したバックライト構造の一部の断面図である。
【図１７】本発明の実施形態に係る、導光プレートの周辺端縁と電子装置の筐体構造との間に挟持された、光遮断層及び光反射層を有する電子装置の一部の断面側面図である。
【図１８】本発明の実施形態に係る、金属又は他の材料のコーティングなどの光遮断層が光反射層の外部表面上に被覆され得る仕組みを示した略図である。
【図１９】本発明の実施形態に係る、２つの反対側の発光ダイオードのアレイが収容されるように構成される、例示的なディスプレイバックライトシャーシ構造の上面図である。
【図２０】本発明の実施形態に係るバックライトシャーシ構造に使用され得る例示的な側壁構造の断面図である。
【図２１】本発明の実施形態に係るバックライトシャーシ構造に使用され得る例示的な側壁構造の断面図である。
【図２２】本発明の実施形態に係るバックライトシャーシ構造に使用され得る例示的な側壁構造の断面図である。
【図２３】本発明の実施形態に係るバックライトシャーシ構造に使用され得る例示的な側壁構造の断面図である。
【図２４】本発明の実施形態に係るバックライトシャーシ構造に使用され得る例示的な側壁構造の断面図である。
【図２５】本発明の実施形態に係るバックライトシャーシ構造に使用され得る例示的な側壁構造の断面図である。
【図２６】本発明の実施形態に係るバックライトシャーシ構造に使用され得る例示的な側壁構造の断面図である。
【図２７】光遮断材料の外環で囲繞された光反射材料の内環を有する、例示的なバックライトシャーシ構造の上面図である。
【図２８】本発明の実施形態に係る、光遮断材料の外環及びバックライトシャーシ構造の４つある内側端縁のうちの３つに沿った光反射材料の３つのセグメントを有する、例示的なバックライトシャーシ構造の上面図である。
【図２９】本発明の実施形態に係る、光反射層が金属などの反射性材料から形成されている、バックライトシャーシ用の例示的な側壁構造の断面図である。
【図３０】本発明の実施形態に係る、光反射層が材料の薄膜スタックから形成されている、バックライトシャーシ用の例示的な側壁構造の断面側面図である。
【図３１】本発明の実施形態に係る、筐体構造に係合する特徴部などの構造がバックライトシャーシに設けられ得る仕組みを示した、例示的な側壁構造の断面側面図である。
【図３２】本発明の実施形態に係る、バックライトシャーシ構造及び他の装置の構造を形成する際に使用できる装置を示した略図である。
【発明を実施するための形態】
【００１４】
図１の装置１０などの電子装置は、ディスプレイが設けられてもよい。装置１０内のディスプレイは、ディスプレイ用バックライト照明を提供するためのバックライト構造（バックライトユニット又はバックライトと呼ばれることもある）を含み得る。
【００１５】
図１の装置１０は、ポータブルコンピュータ、タブレット型コンピュータ、コンピュータモニタ、ハンドヘルド装置、ゲーム装置、ＧＰＳ装置、携帯電話、又は他の電子装置であり得る。
【００１６】
装置１０は、筐体１２などの筐体を含んでもよい。ケースとも呼ばれることもある筐体１２は、プラスチック、ガラス、セラミック、繊維複合材、金属（例えば、ステンレス鋼、アルミニウム等）、他の好適な材料、又はこれらの材料のいずれか２種以上の組み合わせで形成されてもよい。
【００１７】
筐体１２は、筐体１２が一部若しくはすべて単一の構造として機械加工若しくは成形された一体型構成を使用して形成されてもよく、又は複数の構造（例えば、内部枠組構造、外部筐体表面を形成する１つ以上の構造等）を使用して形成されてもよい。
【００１８】
ディスプレイ１４などのディスプレイは、筐体１２内に実装してもよい。例えば、装置１０の前部表面にディスプレイ１４を実装してもよい。ディスプレイ１４などのディスプレイはまた、筐体１２内の他の部分（例えば、ヒンジ式の上側及び下側筐体構造を伴うコンピュータ内の上側筐体内、筐体の背面上等）に実装することもできる。
【００１９】
ディスプレイ１４は、容量性タッチ電極又は他の型式のタッチ技術（例えば、電気抵抗タッチ、音響タッチ、力覚センサベースのタッチ等）を使用して形成されたタッチセンサを組み込むタッチスクリーンでもよく、又はタッチ入力に無感応なディスプレイであってもよい。ディスプレイ１４は、液晶ディスプレイ（ＬＣＤ）コンポーネントから形成された画像画素、又は他の好適な画像画素構造を含んでもよい。
【００２０】
ディスプレイ１４は、カバーガラスの層又は透明プラスチック層などのディスプレイカバー層で被覆されてもよい。ディスプレイ１４の活性領域は、ディスプレイ１４の中央領域の内部に位置し得る。活性ディスプレイ領域を囲繞する周辺環状領域に、ディスプレイ１４用の非活性領域を形成してもよい。所望により、（例として）ディスプレイ１４の非活性周辺領域に、ボタン１６及びスピーカポート１８などの構造を形成してもよい。
【００２１】
図２に示す型式のバックライト構造を使用して、ディスプレイ１４用のバックライトを提供してもよい。図２に示すように、バックライト構造２０は、導光プレート２２などの導光構造を含んでもよい。ディスプレイ１４は、任意の好適な形状を有し得る。例えば、ディスプレイ１４は、円形でもよく、卵形でもよく、矩形でもよく、直線及び／若しくは曲線の端縁を組み合わせた形状を有してもよく、又は他の任意の好適な形状を有してもよい。導光プレート２２は、ディスプレイ１４用バックライトを提供する際に使用してもよく、ディスプレイ１４の形状と一致する形状を有し得る。例えば、導光プレート２２は、円形でもよく、卵形でもよく、四角形でもよく、直線及び曲線の端縁を組み合わせた形状を有してもよく、又は他の任意の好適な形状を有してもよい。
【００２２】
ディスプレイ１４は概して、任意の好適な形状を有してもよいが、本明細書において、例として、ディスプレイ１４が矩形状を有する装置１０の構成について記述することがある。しかしながら、これは単なる例示である。ディスプレイ１４、及び導光プレート２２などの付随するディスプレイ構造は、任意の好適な形状を有し得る。
【００２３】
図２に示すように、バックライト２６は、発光ダイオード２４などの光源から導光プレート２２の端縁の１つ以上（例えば、矩形導光プレートに４つある端縁の１つ以上）の内に入射され得る。図２の実施例において、発光ダイオード２４は、光２６を導光プレート２２の上部端縁内に入射している。所望により、他の構成（例えば、光が導光プレートの複数の端縁内に入射される構成等）を使用できる。
【００２４】
導光プレート２２は、（例として）ガラスなどの透明な材料、又はアクリル若しくは他の透明プラスチックなどのポリマーから形成され得る。光２６は、全内反射の原理によって導光プレート２２の内部で誘導される。光２６の一部は、導光プレートの上側面、導光プレートの下側面、又は導光プレートの上側及び下側の両方の表面にエンジニアリングされた特徴部を経由して、導光プレート２２から抽出される。下方へ指向された光は、導光プレートの下部のリフレクタ層によって、ビューアの方へ向けて導光プレートの内に反射されて戻される。上方へ指向された光は、バックライトより上部に形成されたディスプレイ１４の活性層を通って伝わる。例えば、液晶ディスプレイにおいて、上方へ指向された光は、薄膜トランジスタ層、カラーフィルタ層、及びカラーフィルタ層と薄膜トランジスタ層の間に挟持されている液晶材料の層を通って伝わる。カラーフィルタ層を使用して、さまざまな色のディスプレイピクセルを提供できる。薄膜トランジスタ層を使用して、液晶材料の個別ピクセルの伝導を制御できる。バックライトは、カラーフィルタ層及び薄膜トランジスタ層の上部及び下部にそれぞれ形成される、上側及び下側の偏光子を通過し得る。
【００２５】
導光プレート２２は、シャーシ２８などのディスプレイバックライトシャーシ内に取り付けることができる。シャーシ２８は、矩形導光プレート２２が収容される矩形中央開口部がある矩形環形状を有してもよく、又は他の好適な形状を有してもよい。シャーシ２８の周縁は、図２に（例として）示すような矩形状を有してもよい。
【００２６】
シャーシ２８は、２種類以上の異なる材料から形成してもよい。例えば、シャーシ２８は、色が異なる材料、光吸収特性が異なる材料、表面仕上げが異なる材料、光反射率が異なる材料、密度が異なる材料、硬度が異なる材料、又は種類が異なる他の材料から形成され得る。材料は、囲繞構造、組立の容易さ、化粧、光学特性、耐久性、又は他の好適な基準との適合性に基づいて選択できる。
【００２７】
シャーシ２８を形成する際に使用できる材料の例としては、プラスチック、金属、ガラス、セラミック、木材、炭素繊維複合材及び他の複合材、他の材料、並びにこれらの材料の組み合わせが挙げられる。一部の例示的な実施例において、１種以上の材料にはプラスチックが含まれる。シャーシ２８用のプラスチック（ポリマー）材料は、ポリカーボネート（ＰＣ）、アクリロニトリルブタジエンスチレン（ＡＢＳ）若しくはＰＣ／ＡＢＳブレンドなどの比較的硬質の材料でもよく、又は合成ゴム、天然ゴム、シリコーン若しくは他のエラストマー材料などの比較的軟質のポリマーであってもよい。本明細書において、硬質ポリマー及びエラストマーポリマーは「プラスチック」と総称される。
【００２８】
本明細書において、一実施例として記載されることがある１つの例示的な構成物では、シャーシ２８用の材料を光反射能力及び光遮断能力に関して選択できる。詳細には、材料３０などのシャーシ２８内の一部の材料は、光を遮断するように構成できる。光遮断材料３０、光遮断層３０、又は光遮断構造３０と呼ばれることもある材料３０は、黒色プラスチック、濃い灰色のプラスチック、暗色のプラスチック（例えば、濃青色、濃褐色、暗赤色、又は他の好適な色のプラスチック）、金属、又はバックライトシャーシ２８からの光の伝導が阻止されるように最適化されている他の材料などの不透明な材料から形成できる。光の伝導が、光の吸収によって阻止される場合もあれば（例えば、プラスチックの暗色層がプラスチックの暗色層の内に透過した光を吸収したときに、光の伝導が阻止される可能性がある）、及び／又は光の反射によって阻止される場合もある（例えば、反射性金属から形成された光遮断層が光を反射させて光が遮断されたときに、光の伝導が阻止される可能性がある）。
【００２９】
材料３２などのシャーシ２８の他の材料は、光を反射するように構成できる。光反射材料３２、光反射層２８、又は光反射構造３２とも呼ばれることもある材料３２は、光を反射するように最適化されている材料の層（例えば、白色であるプラスチック、薄黄色、薄灰色、薄銀色などの薄色であるプラスチック等）から形成してもよく、金属層から形成してもよく、薄膜スタック（例えば、誘電層又は他の層の集合）から形成してもよく、又は他の反射構造から形成してもよい。
【００３０】
１つの好適な構成物において、光反射層３２は白色で、光遮断層３０は黒色であるが、所望により、光反射及び光遮断構造の他の組み合わせをシャーシ２８に使用してもよい。概して光反射構造３２の特性を主因とするシャーシ構造２８の反射率は、約７０％以上、８０％以上、又は９０％以上であり得る。概して光遮断構造３０の光遮断特性を主因とするシャーシ構造２８の伝導は、（例として）１０％未満、１％未満、又は０．１％未満であり得る。個別に見ると、（所定の厚さに関して）光遮断材料３０の透過率は光反射材料３２の透過率より小さく、光遮断材料３０の不透明度は光反射材料３２よりも大きい。結果として、シャーシ２８に光遮断材料３０を使用すれば、光の漏出を軽減する助けになり得る。光反射材料３２の反射率は、光遮断材料３０の反射率を上回るであろう。
【００３１】
バックライト構造２０の作動中に、光２６は発光ダイオード２４から導光プレート２２の内部に入射する。光２６は、図２の底部端縁などの導光プレート２２の端縁の１つに到達したときに、光２６が導光プレートを出射し、光反射層３２に当たる場合がある。光反射層３２が存在するため、光は、導光パネル２２の端縁内に反射されて戻される。それ故、反射された光は、導光パネルの特徴部を介して抽出でき、ディスプレイ１４用のバックライトとしての役目を果たし得る。一部の構成において、光反射層３２は、反射されたときに光を拡散する傾向のある材料から形成できる（例えば、白色プラスチック、又は他の材料は、光が反射される前に幾分透過できる）。光が反射されるため、バックライトが消耗せず、全体的なバックライト効率が高まる。
【００３２】
光反射構造３２が白色又は他の薄色であることから、光２６のすべてが反射されて導光プレート２２内に戻らない場合がある。にもかかわらず、シャーシ２８の外部表面を一部又はすべて取り囲む光遮断材料３０が存在するため、光の漏出を除くか又は少なくとも実質的に軽減し得る。
【００３３】
光遮断材料３０は、シャーシ２８の４つの端縁を全て囲繞してもよく、又はこれら４つの端縁のサブセットを囲繞してもよい。光反射材料３２を使用して、シャーシ２８の４つの端縁又はその一部の内部表面を裏打ちしてもよい。例えば、図２の例示的な構成において、頂部シャーシセグメント３４に収容されるのは光遮断材料３０のみであり、光反射材料３２は一切収容されない。
【００３４】
線３６に沿って切り取って方向３８に見た図２のバックライト構造２０の断面側面図を、図３に示す。図３に示すように、光２６は方向Ｙに放射され、導光プレート２２の端縁（図３の方向で例えば、プレート２２の左側の端縁）の内に入射され得る。光２６の一部は、装置１０の内部に向かって下方向に抽出でき、光線４８で示したように、上向き（Ｚ）方向へリフレクタ４６に反射して戻され得る。リフレクタ４６は、白色プラスチック、白色の紙、金属ホイル、又は他の好適な反射性面の層から形成されてもよい。光線５０で示したように、導光プレート２２から上方向に抽出されている光などの光２６の一部、及びリフレクタ４６から反射された光は、ディスプレイ構造５６及び任意選択的なディスプレイカバー層４４を垂直に通過する。ディスプレイ構造５６は、ディフューザフィルム及び他の光学フィルム、偏光子、薄膜トランジスタガラス層、カラーフィルタガラス層、液晶層及び他のディスプレイ層などのディスプレイモジュール構造を備えてもよい。ディスプレイカバー層４４は、（例として）ガラス又は透明プラスチックから形成されてもよい。導光プレート２２に表面特徴部を組み込むことによって、光抽出効率が増強され得る（例えば、導光プレート上の特定の場所での抽出が増強され得る）。
【００３５】
光２６の一部は、全内反射の原理によって、導光プレート２２の端縁に誘導される。こ装置の略図において、光線５２として示され、シャーシ構造２８内の光反射構造３２に反射され、光線５４で示したように、導光プレート２２の端縁に再入する。光反射層３２は、白色プラスチックなどの明色の反射性材料、又は薄い色のプラスチックから形成できるため、光が効率的に反射され得る（及び、それに対応してバックライト効率が高くなり得る）。光反射層３２を構成する白色プラスチック（又は他の好適な材料）は、鏡面反射コンポーネント及び拡散コンポーネントの両方によって反射光５４が生じ得る（例えば、層３２から反射される光の約５０％は鏡面反射によって生じ得るもので、層３２から反射される光の約５０％は拡散反射によって生じ得る）。光遮断層３０の存在は、シャーシ構造２８から漏れる光の量が最小限に抑えられるのを確実化する助けになり得る。光遮断用の不透明な材料（例えば、カーボンブラック材料又は他の暗色材料をプラスチック材料に組み込むことによって形成される黒色プラスチック）を使用することによって、所望程度の光漏出保護を得ながら、層３０の厚さを最小限に抑えることができる。それ故、光遮断層３０の存在は、バックライト構造２０及び装置１０のサイズを最小限に抑える助けになり得る。
【００３６】
図４は、図２の線４０に沿って切り取って方向４２に見た図２のバックライト構造２０の断面図である。図４に示すように、光反射性層３２は、導光プレート２２の反対側の外側周辺端縁に対向するシャーシ２８の内面上に形成されてもよい。光遮断層３０をシャーシ２８の周辺の外部表面上に形成して、シャーシ２８からの光の漏出を阻止する助けになり得る。
【００３７】
図５は、装置１０用のバックライト構造２０を形成し得る仕組みを示した略図である。図５に示すように、導光プレート２２は（例えば、成形された導光プレートを形成するための）成形機、又は（例えば、大型の導光材料シートから矩形導光プレートを切断するための）ダイカット機などの装置５８を使用して形成できる。
【００３８】
その場合、成形機６０（例えば、プラスチック射出成形装置）を使用して、光反射構造３２（例えば、白色又は薄色プラスチック）などの構造を、導光プレート２２の外部端縁に成形できる。
【００３９】
所望により、光反射層３２を、予め形成された光遮断構造３０と予め形成された導光プレート２２とが収容される型に、射出成形してもよい。この型式の構成物を図６に示す。図６に示すように、プラスチック射出成形機６４などの成形装置を使用して、光遮断構造３０（例えば、黒色プラスチックの矩形環）を形成でき、成形機などの装置、又は装置６６などのダイカット機を使用して、導光プレート２２を形成できる。構造３０及びプレート２２が形成された後は、構造３０及びプレート２２をプラスチック射出成形機６８などの成形装置の内に挿入できる。その後、成形機６８を使用して、構造３０と導光プレート２２との間に反射性プラスチック層３２（例えば、白色プラスチックの層）を射出成形して、成形されたシャーシ構造２８を導光プレート２２の周辺端縁上に形成できる。この型式の構成物において、成形されたプラスチック−プラスチックインタフェースが、構造３２の外側周辺面と構造３０の反対側の内面との間、及び構造３２の内面とプレート２２の反対側の外側周辺端縁との間に形成される。
【００４０】
シャーシ２８は、射出成形操作中にプラスチックのフローを制御する助けとなる特徴部を有してもよい。図７に示すように、例えば、シャーシ２８内の光遮断層３０は、突出部７４などの特徴部を有してもよい。図８は、線７０に沿って切り取って方向７２に見た図７のシャーシ２８の断面図である。図８に示すように、突出部７４は、射出成形中にプラスチック３２を収容する助けとなる場合があり、シャーシ２８の隅のプラスチック３０とプラスチック３２との間に充分なインタロックジョイントを形成する助けになり得る。所望により、他の型式のインタロック及びプラスチックフロー制御機能をシャーシ２８に組み込むことができる。図７及び８の実施例は、単なる例示である。
【００４１】
従来型バックライト構造を図９に示す。図９の断面図に示すように、バックライト構造７６は、導光プレート８０を囲繞する矩形の白色プラスチックシャーシ（シャーシ７８）を有する。シャーシ２８内に光遮断材料３０が存在するため、所定量の光遮断能力に対してシャーシ２８の側壁がシャーシ７８の従来型側壁よりも薄くなる場合がある。
【００４２】
別の従来型バックライト構造を図１０及び１１に示す。図１０の従来型バックライト構造８２は、プラスチック９４が成形されている金属シャーシ構造を有する。線８４に沿って切り取って方向８６に見た、図１０のバックライト構造８２のシャーシの側壁の１つの断面図を、図１１に示す。図１１に示すように、導光プレート８８は、プラスチック９４に当接する端縁を有する。プラスチック９４は金属シャーシ９０で成形されてから、金属シャーシ９０の周縁を取り囲むアレイ内に位置する孔９２の内に流入する。
【００４３】
図１２に示すように、シャーシ２８の側壁は厚さＤを有し得る。シャーシ２８のサイズを最小限に抑えるには、寸法Ｄができる限り小さくなるようにシャーシ２８を成形する射出成形機を使用するのが望ましいことがある。他の構成において、シャーシ２８は、最小寸法よりも大きく成形され得る。例えば、寸法Ｄは（例として）０．０５〜０．４ｍｍ、０．１〜０．３ｍｍ、０．２ｍｍ以上、又は０．５ｍｍ未満であり得る。所望により、他のサイズを使用できる（例えば、シャーシ２８を比較的大きいサイズに成形して、強度、等を向上し得る）。
【００４４】
図１２の構成において、シャーシ２８の側壁の厚さＤ（次元Ｘにおける幅）は、厚さが同等な（それぞれＤ／２に等しい）構造３２及び構造３０から形成される。図１３は、（側壁の総厚さＤを増大せずに）光遮断層３０の厚さを増加し、シャーシ側壁の光遮断能力の強化し得る仕組みを示す。図１４は、光反射層３２の厚さを増加する一方で、それに対応する量だけ光遮断層３０の厚さを減少し得る仕組みを示す。この型式の構成では、反射層３２の反射率が増加しても、側壁のサイズが厚さＤ（例えば、最小の成形寸法）に維持される。
【００４５】
図１５は、シャーシ構造２８が導光プレート２２の周辺端縁と筐体構造１２の内側端縁表面との間に形成された空隙に射出成形され得る仕組みを示す、装置１０用の例示的なバックライト構造２０の断面図である。シャーシ構造２８は、光反射層、光遮断層、内側光反射層及び外側光遮断層、又は他の好適な構造を含んでもよい。図１５に示す型式の構成物では、シャーシ２８（例えば、層３２、及び任意選択的に層３０）を筐体１２の一体部分として形成できる。
【００４６】
図１６は、（例えば、連続的な射出成形操作を使用して、層３０及び層３２を筐体１２上に成形し、筐体１２の一体部分であるシャーシを形成することによって）層３０などの光遮断層、及び層３２などの光反射層が筐体１２の内側周辺面上に設けられた構成における、バックライト構造２０の断面図である。
【００４７】
図１７は、光遮断層３０及び光反射層３２が筐体１２の内側端縁上に射出成形された構成における、バックライト構造２０の断面図である。図１７に示すように、光遮断層３０は、光反射層３２の上側部分が被覆される張り出した形状を有し得る。光反射層３２は、導光プレート２２の垂直高さ（厚さ）と実質的に等しい（又はそれより僅かに大きい）垂直高さ（次元Ｚ）を有し得る。光遮断層３０は、高さを大きくして、漂遊光を封じ込める助けになり得る。
【００４８】
図１８は、光反射構造３２の外部表面上に不透明な材料の層を堆積させてバックライトシャーシ２８を形成し得る仕組みを示す。図１８に示すように、プラスチック射出成形機９６などの成形装置を使用して、光反射構造３２（例えば、白色プラスチックの矩形環）を形成できる。その後、コーティング機９８を使用して、光反射構造３２の外部表面をコーティングして、光を遮断する層１００などの不透明層を形成できる。コーティング機９８には、金属層（例えば、１ミクロン未満の厚さ又は他の好適な厚さを有するアルミニウム又は他の金属の層）を光反射層３２の表面に堆積させるための物理蒸着装置（例えば、スパッタリング装置、蒸着装置等）などの装置を含み得る。所望により、他の光遮断材料を光反射層３２の外部表面上に形成してもよい。図１８の実施例において、不透明な光遮断性の金属層（層１００）の形成は、単なる例示である。
【００４９】
図１９に示すように、バックライト構造２０は、導光プレート２２の反対側の端縁に沿ってアレイ内に位置する光源を含んでもよい。この型式の構成において、一方の光源アレイ（図１９中のプレート２２の頂部端縁に沿った発光ダイオード２４）が或る方向に光を放出する一方で、他方の光源アレイ（図１９中のプレート２２の底部端縁に沿った発光ダイオード２４）が反対方向に光を放出する。シャーシ２８は、光の漏出を軽減しながら反射率を強化する複数のプラスチック層を備えてもよい。例えば、シャーシ２８は、複数回にわたる射出成形操作中に型に射出成形された、複数のプラスチックショットを有し得る。
【００５０】
シャーシ２８は、例えば、外面が光遮断材料３０で被覆されてもよい。シャーシ２８内の光遮断材料３０の内部表面を一部又はすべて光反射材料３２を使用してコーティングしてもよい。例えば、導光プレート２２の頂部端縁及び底部端縁に沿って光遮断材料３０のみが存在する一方、シャーシ２８の左及び右の内部表面が光反射材料３２で（図１９に示す方向に）コーティングされてもよい。線３２’で示したように、光反射材料３２を使用して、シャーシ２８の頂部端縁及び底部端縁の内面をコーティングすることもできる。
【００５１】
シャーシ２８の側壁を形成する光反射構造３２及び光遮断構造３０は、サイズ及び形状が同等である必要はない。図２０〜図２６は、シャーシ２８用の例示的な側壁構成を示す。図２０の実施例において、光遮断材料３０は、光反射構造３２の一部に張り出したＬ字状の断面形状を有する。図２１の実施例において、光遮断材料３０は、光反射材料３２をアンダーカットして張り出したＣ字状の断面形状を有する。図２２は、光遮断材料３０及び光反射材料３２の高さ（Ｚ次元における垂直厚さ）がそれぞれ異なる構成の実施例である。図２３の構成において、光遮断材料３０は、光反射材料３２をアンダーカットしたＬ形状を有する。図２４は、光反射材料３２が複数のステップを有しシャーシ２８用の完全に垂直な内側壁面を形成しない構成における、シャーシ２８の断面図である。図２５に示すように、光反射材料３２は、光遮断材料３０を一部又はすべてアンダーカットするように構成できる。図２６に示すように、シャーシ２８は、２個よりも多くの別個のプラスチックショット（又は他の材料層）から形成されてもよい。詳細には、シャーシ２８は、光反射性層３２、光遮断層３０、及び層３１などの１つ以上の中間層を含んでもよい。層３１は、光反射材料、光遮断材料、射出成形プラスチック、粘着を補強する材料、強度を提供する材料（例えば、金属）、又は他の好適な材料から形成されてもよい。
【００５２】
図２７は、光反射材料３２から形成された内側の矩形環及び光遮断材料３０から形成された周囲の矩形環をシャーシ２８が有する、バックライト構造２０用の構成物の上面図である。図２及び図１９に関して説明したように、光反射材料３２及び光遮断材料３０から側壁構造を形成する必要なしに、導光プレート２２の矩形の周縁の４つの側面が全て完全に囲繞される。図２８に示すように、例えば、シャーシ２８の下側端縁１０２は、専ら光遮断材料３０の固体片から形成されてもよく、一方、シャーシ２８の上側端縁１０４並びに左側及び右側の端縁は、光遮断材料３０の外側層で被覆された光反射材料３２の内側層から形成されてもよい。
【００５３】
所望により、光反射材料３２は、金属層（例えば、アルミニウム、クロミウム等）などの反射性層から形成してもよい。この型式の構成は、図２９のシャーシ２８に示す。図２９に示すように、光反射材料３２（シャーシ２８内の最も内側の材料としての役目を果たす）は、薄い（例えば、厚さ１ミクロン未満）又は厚い（例えば、０．０５〜１ｍｍ）金属層から形成され得る。図２９の光反射材料３２の金属層は、構造３０’又は他の好適な材料で支持され得る。構造３０’は、シャーシ２８内の最も外側の材料（例えば、シャーシ２８の外側周縁の周りに延在する外部構造）を形成し得る。構造３０’は、光遮断用の黒色プラスチックなどのプラスチック、又は他の好適な材料（例えば、金属、セラミック、ガラス等）から形成されてもよい。構造３０’を使用して反射性層３２の支持を助けとしてもよく、所望により、省略することもできる。
【００５４】
図３０は、光反射層３０が材料３０’の内面上の材料の薄膜スタックから形成されている、バックライトシャーシ２８用の例示的な側壁構造の断面側面図である。材料３０’は、黒色プラスチックなどの光遮断材料でもよく、又は他の任意の好適な材料（プラスチック、金属等）であってもよい。薄膜スタック３２は、２つ以上の材料の層（例えば、リフレクタ又はフィルタを形成する高屈折率と低屈折率との交互スタック内の誘電層、他の屈折率パターンを伴う誘電層等）から形成されてもよい。薄膜スタック３２は、ポリマー層、ガラス層、セラミック層、若しくは他の誘電層などの誘電体の層を含んでもよく、及び／又は他の材料の層（例えば、金属層等）を含んでもよい。薄膜スタック３２内の薄膜層は、物理蒸着（例えば、スパッタリング、蒸着等）又は他の好適な技術を利用して堆積できる。薄膜スタック内の薄膜厚さは、１００オングストローム〜１０，０００オングストローム、又は他の好適な厚さであり得る。
【００５５】
図３１は、所望により、他の装置の構造へのシャーシ２８の取り付け、シャーシ２８への装置１０内の他の構造の取り付け、又は他の好適な機能の実装を容易にする構造をシャーシ２８に設けることができる仕組みを示した、例示的な側壁構造の断面側面図である。図３１の実施例において、シャーシ２８は、光反射層３２及び光遮断層３０が設けられている。シャーシ２８は、筐体１２（例えば、筐体側壁、又はプラスチック、金属等の材料から形成された他の筐体構造）に取り付けられるように構成されてもよい。詳細には、光遮断構造３０及び筐体１２には、嵌合用の係合特徴部２００が設けられている。係合特徴部２００は、突出部及び凹部などの特徴部を含んでもよい。図３１の実施例において、筐体１２には突出部２０２などの突出部が設けられていて、光遮断構造３０には凹部２０４などの嵌合用の凹部が設けられている。所望により、他の型式の係合特徴部を提供し得る。図３１の構成は単なる例示である。
【００５６】
概して、バックライト構造及び他の装置構造は、任意の好適な装置及び組立操作を使用して形成できる。シャーシ２８などのバックライト構造及び／又は装置１０用の他の構造を形成できる例示的なシステムを、図３２に示す。
【００５７】
図３２に示すように、装置１０及び完成済アセンブリ３０２用の個別パーツ３０４を形成する際は、所望により、装置３００などの製造装置を使用できる。パーツ３０４には、筐体構造、例えば、筐体１２、シャーシ２８などのディスプレイ構造、導光プレート２２、及び装置１０に関連した他の構造が包含され得る。１つ以上の第１の装置セット（例えば、製造装置）を使用してパーツ３０４を個別に製造してから、１つ以上の追加の装置（例えば、プレス嵌め機又は他の組立機）を使用して引き続きの組立操作を実行してもよい。この型式の構成物において、パーツを一部又はすべて予め製造して、引き続きアセンブリ３０２などの完成済アセンブリを組み立てて形成してもよい。例えば、構造３０、３２及び／又は筐体１２を別個に形成し、引き続き１つ以上のこれらのパーツを一体にプレス嵌めして、シャーシ２８を形成してもよい。これらなどの構成物には、複数の型式の装置を使用してもよい。例えば、プレート２２のような導光プレート、構造３２などの光反射構造、構造３０などの光遮断構造を別個に形成し、それらの別個の形成に続いて、機械的に組み立ててディスプレイバックライト構造を形成できる。別の実施例として、射出成形機を使用して、光反射層３２を導光プレート２２の端縁上に射出成形してもよい。続いて、この構造を予め形成された光遮断構造３０に機械的に（例えば、プレス嵌め、又は他の機械的な組立技術を利用して）取り付けてもよい。更に別の実施例は、反射性層３２に対する薄膜スタック、及び金属コーティングの形成を含む。これらの反射性層は、図２９及び図３０の光遮断層３０’などの予め形成された光遮断層の上に形成してもよく、又は層３０’若しくは装置１０の他の構造にプレス嵌めされるスタンドアロンパーツとして形成してもよい。所望により、構造３０及び構造３２を一体にプレス嵌めし、（又は二個取り成形（two-shot molding）技術を利用して構造３０及び構造３２を一体に射出成形して）、引き続き（例えば、プレス嵌めによって）導光プレート２２及びシャーシ２８を機械的に組み立てて、シャーシ２８を形成してもよい。
【００５８】
これらの技術を利用して、導光プレート２２からシャーシ２８を別個に作製してもよい。例えば、シャーシ２８を射出成形によって形成（例えば、構造３０及び３２を射出成形して一体型シャーシを形成）してもよく、シャーシ２８を機械的に形成（例えば、材料を成形、切断、機械加工するか、さもなければ材料を別個の構造３０及び構造３２に形成してから別個の構造３０及び構造３２を一体にプレス嵌めしてシャーシ２８を形成）してもよく、又は他の製造プロセスを使用して形成してもよい。導光プレート２２は、シャーシ２８から別個に形成してもよい。例えば、成形装置を使用し、ダイカット機などの切断装置を使用して大型のシートから導光プレート２２用の材料シートを切断し、導光プレート２２若しくは導光プレート２２が切断される材料シートを押し出し、又は他の好適な導光プレート製造技術を利用して、導光プレート２２を形成できる。その後、別個に形成されたシャーシ及び導光プレートなどの別個に形成された構造を組み立てて、バックライトアセンブリを形成してもよい。例えば、プレス嵌め技術又は他の技術を利用して、シャーシ及び導光プレートを機械的に組み立てて、バックライトアセンブリを形成してもよい。
【００５９】
装置３００を使用して形成された構造（図３２にアセンブリ３０２として概略的に示す）は、例えば、シャーシ２８などの完成済シャーシ、シャーシ２８及び導光プレート２２などの付加的な構造を含むバックライトアセンブリ、シャーシ２８導光プレート２２及び／又は筐体１２などの構造を含む電子装置アセンブリ、又は他の好適な装置構造であってもよい。所望により、アセンブリの複数の部分を、同じ装置又は装置セットを使用して形成してもよい。例えば、構造３０及び構造３２などの複数の構造を射出成形して一体型バックライトシャーシを形成することもでき、及び／又は他の構造（例えば、筐体構造、及び／又は導光プレート等）に射出成形することもできる。
【００６０】
装置３００には、ダイカット機、研削機及びミリング機などの工作機械、レーザ切断機、溶接機、パーツどうしを一体プレス嵌め用装置などの機械式組立機、ワークピースを光及び／又は熱に曝露させる装置、誘電体及び金属の層を堆積用の（例えば、薄膜スタック若しくは金属コーティング形成用の）物理蒸着機などのコーティングを塗布する装置、電気化学的成膜機、フォトリソグラフィ機、金属塗料及び他の液体などの導電材料をパターニング形成するための装置（例えば、塗装機、パッド印刷機、スクリーン印刷機、インクジェット機、浸漬装置、噴霧装置）、プラスチック射出成形用の装置、ソルダリング用の機械、オーブン及び他の加熱機、構造屈曲用の装置、並びに他の好適な製造装置及びアセンブリ装置が挙げられる。
【００６１】
一実施形態によれば、矩形導光プレートと、矩形導光プレートの端縁内にバックライトを入射させる光源と、矩形導光プレートを囲繞する矩形環状プラスチックシャーシと、を含む、電子装置ディスプレイ用のバックライト構造が提供され、このバックライト構造において、矩形環状プラスチックシャーシは少なくとも、第１のプラスチック構造及び第１のプラスチック構造とは異なるプラスチック材料から形成される第２のプラスチック構造を含む。
【００６２】
別の実施形態によれば、第１のプラスチック構造は、矩形環状プラスチックシャーシの少なくとも１つの内側端縁に沿って内面が形成されるように構成される。
【００６３】
別の実施形態によれば、第１のプラスチック構造は白色プラスチックを含む。
【００６４】
別の実施形態によれば、第１のプラスチック構造は、光反射プラスチックの矩形環を含む。
【００６５】
別の実施形態によれば、第１のプラスチック構造は、矩形環状プラスチックシャーシの少なくとも２つの側壁に沿って光反射面を形成するように構成される。
【００６６】
別の実施形態によれば、第２のプラスチック構造は黒色プラスチックを含む。
【００６７】
別の実施形態によれば、第１のプラスチック構造は白色プラスチックを含む。
【００６８】
別の実施形態によれば、シャーシは、第１、第２、第３及び第４の端縁を有し、第１及び第３の端縁は平行であり、第２及び第４の端縁は平行であり、シャーシの第１及び第３の端縁は専ら第２のプラスチック構造からの材料で形成される。
【００６９】
別の実施形態によれば、シャーシは、第１、第２、第３及び第４の端縁を有し、第１及び第３の端縁は平行であり、第２及び第４の端縁は平行であり、シャーシの第１の端縁は専ら第２のプラスチック構造からの材料で形成される。
【００７０】
別の実施形態によれば、第１のプラスチック構造は、光反射プラスチックを含み、第２のプラスチック構造は光遮断プラスチックを含み、光反射プラスチックは光遮断プラスチックよりも反射性が高く、第２のプラスチック構造の少なくとも一部は矩形環状シャーシの側壁部分を形成し、第１のプラスチック構造の少なくとも一部は、側壁部分の内面に沿って位置する。
【００７１】
一実施形態によれば、シャーシと、シャーシ内に取り付けられた導光プレートと、を含む、バックライト構造が提供され、シャーシは、シャーシの少なくとも一部の内部表面に沿って延在する光反射材料を有し、並びに、シャーシの外部表面上に形成された光遮断層を有する。
【００７２】
別の実施形態によれば、光遮断層は、光反射材料の外部上に堆積した金属コーティング層を含む。
【００７３】
別の実施形態によれば、光遮断層は、黒色プラスチックを含む。
【００７４】
別の実施形態によれば、光反射層は、白色プラスチックを含む。
【００７５】
別の実施形態によれば、導光プレートは、矩形の周縁を有し、シャーシは、矩形の周縁を囲繞する４つの端縁で形成される矩形開口部を有し、光反射材料は、少なくとも２つの端縁に対して内部側壁を形成する射出成形プラスチックを含む。
【００７６】
別の実施形態によれば、シャーシの端縁は側壁を形成し、側壁のうちの少なくとも１つは、光反射材料で形成される第１の部分及び光遮断層で形成される第２の部分を有し、第１及び第２の部分のうちの少なくとも一方はＬ字状の断面形状を有する。
【００７７】
一実施形態によれば、周辺端縁を有する導光プレートと、導光プレートを囲繞するシャーシと、を含むバックライト構造が提供され、シャーシは、第１の射出成形プラスチック構造及び第２の射出成形プラスチック構造を含む。
【００７８】
別の実施形態によれば、第２の射出成形プラスチック構造は、第１の射出成形プラスチック構造よりも不透明であり、第１の射出成形プラスチック構造は、導光プレートの少なくとも１つの周辺端縁上に射出成形される。
【００７９】
別の実施形態によれば、第１及び第２の射出成形プラスチック構造は、少なくとも１つの端縁に沿って相互に成形される。
【００８０】
別の実施形態によれば、シャーシが４つの端縁を有し、第１の射出成形プラスチック構造が、白色プラスチックを含み、第２の射出成形プラスチック構造が、黒色プラスチックを含み、黒色プラスチックの少なくとも一部が、シャーシの４つの端縁のそれぞれを囲繞する。
【００８１】
一実施形態によれば、筐体と、筐体内のディスプレイと、ディスプレイ用のディスプレイバックライトを生成する光源と、光源からのディスプレイバックライトが入射される周辺端縁を有する、導光プレートと、筐体に射出成形され、筐体と導光プレートの周辺端縁の少なくとも一部との間に挟持されている、少なくとも１つの射出成形プラスチック層と、を含む、電子装置が提供される。
【００８２】
一実施形態によれば、ディスプレイバックライトを生成する光源と、光源からのディスプレイバックライトが入射される周辺端縁を有する、導光プレートと、導光プレートの周辺端縁の少なくとも一部上に射出成形される、少なくとも１つの射出成形プラスチック層と、を含む、ディスプレイバックライト構造が提供される。
【００８３】
別の実施形態によれば、射出成形プラスチック層は光反射プラスチック材料を含み、ディスプレイバックライト構造もまた、光反射プラスチック層上に射出成形された射出成形光遮断プラスチック層を含む。
【００８４】
一実施形態によれば、周辺端縁を有する導光プレート、及び導光プレートを囲繞するシャーシと、を含む、バックライト構造が提供される。このバックライト構造において、シャーシは、外側構造、及び外側構造の内部表面上の金属コーティングと、を含み、金属コーティングが周辺端縁内に光を反射させるように構成される。
【００８５】
別の実施形態によれば、外側構造はプラスチックを含む。
【００８６】
一実施形態によれば、周辺端縁を有する導光プレート、及び導光プレートを囲繞するシャーシと、を含む、バックライト構造が提供される。このバックライト構造において、シャーシは、外側構造、及び外側構造の内部表面上の薄膜スタックと、を備え、薄膜スタックが周辺端縁に光を反射させるように構成される。
【００８７】
別の実施形態によれば、薄膜スタックは、屈折率の異なる複数の誘電層を含む。
【００８８】
別の実施形態によれば、外側構造は、金属及びプラスチックを含む材料の群から選択される材料から形成された環状構造を有する。
【００８９】
上記は本発明の原理を単に例示したものにすぎず、当業者は本発明の範囲及び趣旨を逸脱することなしにさまざまな変更を行うことができる。
【符号の説明】
【００９０】
１０  装置
１２  筐体
１４  ディスプレイ
１６  ボタン
１８  スピーカポート
２０  バックライト構造
２２  導光プレート
２４  発光ダイオード
２６  バックライト
２８  シャーシ
３０  光遮断構造
３２  光反射構造
３０２  アセンブリ
３０４  個別パーツ
【図１】
0005946106.tif 000002
【図２】
0005946106.tif 000003
【図３】
0005946106.tif 000004
【図４】
0005946106.tif 000005
【図５】
0005946106.tif 000006
【図６】
0005946106.tif 000007
【図７】
0005946106.tif 000008
【図８】
0005946106.tif 000009
【図９】
0005946106.tif 000010
【図１０】
0005946106.tif 000011
【図１１】
0005946106.tif 000012
【図１２】
0005946106.tif 000013
【図１３】
0005946106.tif 000014
【図１４】
0005946106.tif 000015
【図１５】
0005946106.tif 000016
【図１６】
0005946106.tif 000017
【図１７】
0005946106.tif 000018
【図１８】
0005946106.tif 000019
【図１９】
0005946106.tif 000020
【図２０】
0005946106.tif 000021
【図２１】
0005946106.tif 000022
【図２２】
0005946106.tif 000023
【図２３】
0005946106.tif 000024
【図２４】
0005946106.tif 000025
【図２５】
0005946106.tif 000026
【図２６】
0005946106.tif 000027
【図２７】
0005946106.tif 000028
【図２８】
0005946106.tif 000029
【図２９】
0005946106.tif 000030
【図３０】
0005946106.tif 000031
【図３１】
0005946106.tif 000032
【図３２】
0005946106.tif 000033